(57)【要約】【課題】浄水カートリッジの位置決め、回り止め、着脱等を容易かつ確実にするとともに着脱時に過度の負荷が掛からないようにし、原水流路の流路幅を均一に保ち、水浸入の周方向の偏りをなくした浄水カートリッジ位置決め構造を提供することを課題とする。【解決手段】把持部のカートリッジ収容部の入口部と浄水カートリッジの下流側の外周端部との間に嵌合部を形成し、この嵌合部を形成する一方の部材に突起を他方の部材に凹部を形成して、前記浄水カートリッジが前記把持部のカートリッジ収容部に収容されたときに、前記突起と前記凹部とが嵌め合い、互いに相対的な周方向の動きを規制するように構成する。【選択図】        図１
2005023583.tif 000002
【特許請求の範囲】
【請求項１】
把持部のカートリッジ収容部の入口部と浄水カートリッジの下流側の外周端部との間に嵌合部を形成し、この嵌合部を形成する一方の部材に突起を他方の部材に凹部を形成して、前記浄水カートリッジが前記把持部のカートリッジ収容部に収容されたときに、前記突起と前記凹部とが嵌め合い、互いに相対的な周方向の動きを規制することを特徴とする浄水カートリッジ位置決め構造。
【請求項２】
前記嵌合部を前記浄水カートリッジの水質浄化材収納部の下流側外周端を形成した位置に設けたことを特徴とする請求項１記載の浄水カートリッジ位置決め構造。
【請求項３】
前記把持部と前記浄水カートリッジとの嵌合部に形成した突起と凹部とをそれぞれ周上等間隔に各２ヶ所以上形成したことを特徴とする請求項１記載の浄水カートリッジ位置決め構造。
【請求項４】
前記把持部のカートリッジ収容部の内面にカートリッジ支持用突出部を周上等間隔に複数突設したことを特徴とする請求項１記載の浄水カートリッジ位置決め構造。
【請求項５】
頭部と把持部との第１の結合部と、この結合部の近傍に設けた把持部と浄水カートリッジとの第２の結合部とを、同軸的に設けた円筒状結合部に形成し、前記第１の結合部には所定位置に設けた係止凸部とストッパーとの組合せからなる周方向移動抑止部を形成し、前記第２の結合部には、前記把持部のカートリッジ収容部の入口部と前記浄水カートリッジの下流側の外周端部との間に嵌合部を形成し、この嵌合部を形成する一方の部材に突起を他方の部材に凹部を形成して、前記浄水カートリッジが前記把持部のカートリッジ収容部に収容されたときに、前記突起と前記凹部とが嵌め合うとともに、前記周方向移動抑止部の係止凸部とストッパーとが係止して前記嵌合部の移動自由側を抑え、互いに相対的な周方向の動きを規制することを特徴とする浄水カートリッジ位置決め構造。
【請求項６】
前記第１の結合部には周上等間隔に４箇所以上の係止凸部を有する係合部を設けたことを特徴とする請求項５記載の浄水カートリッジ位置決め構造。
【発明の詳細な説明】
【０００１】
【発明の属する技術分野】
本発明は、湾曲型浄水カートリッジの位置決めと回り止めを行うための浄水カートリッジ位置決め構造に関するものである。
【０００２】
【従来の技術】
本願発明者等は、把持部に水質浄化材を収容するシャワーヘッドについて特許出願（特許文献１）を行った。そして、湾曲した形状を有する把持部に湾曲型水質浄化材を収容するシャワーヘッドについても特許出願（特許文献２）を行った。
【０００３】
【特許文献１】特開２００１−１７３４２号公報
【特許文献２】特願２００３−６８９１３号
【０００４】
これらのうち、図１１及び図１２に示す、湾曲した形状を有する把持部１ａに湾曲型水質浄化材２を収容するシャワーヘッド１の場合にあっては、湾曲型水質浄化材２を硬質のケース３ａに入れて形状を維持するとともに単体での取扱いが容易になるようにまとめた湾曲型浄水カートリッジ（以下、単に浄水カートリッジという）３を、シャワーヘッド１の中に収容するに際して、頭部１ｂに浄水カートリッジ３の着脱部３ｂを嵌合し、浄水カートリッジ３を外嵌するとともに頭部１ｂに把持部１ａの開口側の端部を内嵌して取り付けるかあるいは把持部１ａに浄水カートリッジ３を予め嵌め込み、頭部１ｂに浄水カートリッジ３の着脱部３ｂと把持部１ａの開口側の端部とをそれぞれの嵌合部に嵌め込んで取り付ける。
【０００５】
〔従来技術の問題点〕
シャワーヘッド１の頭部１ｂと把持部１ａとの結合部に、頭部１ｂと把持部１ａとが相対的に回転して固定する機構を有する場合、シャワーヘッド１に浄水カートリッジ３を収容するには、把持部１ａを回転して取り付けるときに、把持部１ａの中に入っている浄水カートリッジ３の着脱部３ｂに設けたＯリング４の摩擦抵抗により、把持部１ａの回転角と浄水カートリッジ３の回転角とがずれを生じ、原水流路５におけるカートリッジ外周側の流路５ａの偏りや浄水カートリッジ３の変形が生じる。
【０００６】
また、Ｏリング４と頭部１ｂもしくは把持部１ａの嵌合でシール材が固着したものを取り外す際には、過度に力を入れると頭部１ｂもしくは把持部１ａを回転させて、内部に収容された浄水カートリッジ３に大きなねじり荷重を掛けることになり、浄水カートリッジ３或は水質浄化材を破損する惧れが高くなる。
【０００７】
このような不具合のうち、原水流路５におけるカートリッジ外周側の流路５ａに偏りがある場合では、原水が浄水カートリッジ３の内部に浸入する際、水の浸入が均一にならず、浄水能力の低下を招く原因となる。また、浄水カートリッジ３に変形が生じる場合には、ケース３ａの破損や内部の活性炭の崩壊等を招き、活性炭の流出による黒水現象の原因となる。
【０００８】
【発明が解決しようとする課題】
本発明は、従来の技術における前記問題点を解消するためのものであり、そのための課題は、浄水カートリッジの位置決め、回り止め、着脱等を容易かつ確実にするとともに着脱時には浄水カートリッジに過度の負荷が掛からないようにし、原水流路の流路幅を均一に保ち、水浸入の周方向の偏りをなくした浄水カートリッジ位置決め構造を提供することにある。
【０００９】
【課題を解決するための手段】
前記課題を達成するため具体的に構成した本発明における請求項１に係る浄水カートリッジ位置決め構造は、把持部のカートリッジ収容部の入口部と浄水カートリッジの下流側の外周端部との間に嵌合部を形成し、この嵌合部を形成する一方の部材に突起を他方の部材に凹部を形成して、前記浄水カートリッジが前記把持部のカートリッジ収容部に収容されたときに、前記突起と前記凹部とが嵌め合い、互いに相対的な周方向の動きを規制することを特徴とするものである。これにより、把持部のカートリッジ収容部の入口部と浄水カートリッジの下流側の外周端部との間に形成した嵌合部の突起と凹部とを嵌め合わせて、相対的な周方向の動きを規制し、原水流路の流路幅を均一に保ち、水浸入の周方向の偏りをなくし、把持部が浄水カートリッジを捩り方向に押圧することによるカートリッジケースの破損や水質浄化材の崩壊を防止する。
【００１０】
また、請求項２に係る浄水カートリッジ位置決め構造は、前記嵌合部を前記浄水カートリッジの水質浄化材収納部の下流側外周端を形成した位置に設けたことを特徴とする。これにより、嵌合部が頭部と把持部との結合部の直近に形成することができ、頭部に対して把持部を軸回りに回動するときに嵌合部を同軸的に回動させることができて、把持部と浄水カートリッジとの全長にわたり同時に同じ方向へ回動でき、把持部と浄水カートリッジとの動きのずれによって生じる浄水カートリッジの変形を防止する。
【００１１】
また、請求項３に係る浄水カートリッジ位置決め構造は、前記把持部と前記浄水カートリッジとの嵌合部に形成した突起と凹部とをそれぞれ周上等間隔に各２ヶ所以上形成したことを特徴とする。これにより、突起が周上等間隔に複数個設けられることにより、均等に周方向にかかる荷重を分散できて、嵌合部に生じる応力を小さくすることができ、破損等の不具合が発生することを防止する。
【００１２】
また、請求項４に係る浄水カートリッジ位置決め構造は、前記把持部のカートリッジ収容部の内面にカートリッジ支持用突出部を周上等間隔に複数突設したことを特徴とする。これにより、浄水カートリッジの板厚が厚くなり剛性を高めるとともに嵌合部の突起と凹部との剛性を高くする。
【００１３】
また、請求項５に係る浄水カートリッジ位置決め構造は、頭部と把持部との第１の結合部と、この結合部の近傍に設けた把持部と浄水カートリッジとの第２の結合部とを、同軸的に設けた円筒状結合部に形成し、前記第１の結合部には所定位置に設けた係止凸部とストッパーとの組合せからなる周方向移動抑止部を形成し、前記第２の結合部には、前記把持部のカートリッジ収容部の入口部と前記浄水カートリッジの下流側の外周端部との間に嵌合部を形成し、この嵌合部を形成する一方の部材に突起を他方の部材に凹部を形成して、前記浄水カートリッジが前記把持部のカートリッジ収容部に収容されたときに、前記突起と前記凹部とが嵌め合うとともに、前記周方向移動抑止部の係止凸部とストッパーとが係止して前記嵌合部の移動自由側を抑え、互いに相対的な周方向の動きを規制することを特徴とするものである。
【００１４】
これにより、把持部と浄水カートリッジとの間は第２の結合部における突起と凹部とからなる嵌合部によって一体的に組み合わされて同時に同方向へ回転できるようになり、第１の結合部における係止凸部とストッパーとからなる周方向移動抑止部によって、頭部に組み付けられた把持部の緩みを防止するとともに、把持部の頭部への組付時に把持部が浄水カートリッジを捩り方向に押圧することを抑止して、カートリッジケースの破損や水質浄化材の崩壊を防止する。
【００１５】
また、請求項６に係る浄水カートリッジ位置決め構造は、前記第１の結合部には周上等間隔に４箇所以上の係止凸部を有する係合部を設けたことを特徴とする。これにより、係止凸部を有する係合部の個数によって周上を等間隔に分割されて、各係止凸部にかかる負荷を小さくするとともに、把持部の回転角を１／４回転以下にして、頭部と把持部との相対的な回動角を小さくし、把持部と浄水カートリッジとの動きのずれをなくして、把持部が浄水カートリッジへの押圧を生じさせるような異常接近状態を防止する。
【００１６】
【発明の実施の形態】
本発明における以下の実施の形態では、頭部に把持部と浄水カートリッジとを同時に取り付ける場合について説明する。
なお、この実施の形態は、発明の趣旨をより良く理解させるため具体的に説明するものであり、特に指定のない限り、特許請求の範囲の記載事項を限定するものではない。
【００１７】
〔構成〕
この実施の形態に係る湾曲型水質浄化材を収容するシャワーヘッド１１は、図１，２に示すように、把持部１１ａと頭部１１ｂとを結合するための（頭部・把持部結合用）結合部２１と、水質浄化材１２を収容した浄水カートリッジ１３の下流側の端部接続部１３ｂと頭部１１ｂとを結合するための（頭部・浄水カートリッジ結合用）結合部２２とを、同軸的に設けた２つの円筒状結合部に形成して、両結合部２１，２２を一度に嵌合できるようにする。
【００１８】
このうち、図１のほか図３乃至５にも詳描されているように、結合部２１は、頭部１１ｂ側を雄型円筒状結合部２１ａに形成し、把持部１１ａ側を雌型円筒状結合部２１ｂに形成する。また結合部２２は、頭部１１ｂ側を雌型円筒状結合部２２ａに形成し、浄水カートリッジ１３側を雄型円筒状結合部２２ｂに形成する。
各雄型円筒状結合部２１ａ，２２ｂにはそれぞれ外周面側にＯリング溝２３，２４を周設し、結合部の漏れ止め用としてＯリング２５，２６を溝内に嵌着して用いる。
【００１９】
頭部１１ｂは、図３に示すように、把持部結合側の端部２７を、頭部カバー材料によって各結合部２１ａ，２２ａの外周側を同軸的に覆う円筒形状の端部として形成する。この端部２７と各結合部２１ａ，２２ａとにより３重の同軸円筒を形成して、把持部１１ａの把持部カバー材料によって形成された結合部外周側の端部と雌型円筒状結合部２１ｂ、及び浄水カートリッジ１３の雄型円筒状結合部２２ｂを同軸的に嵌合することができるようにする。
【００２０】
雄型円筒状結合部２１ａの形状は、単純な厚肉円筒に形成し、その外周面にはＯリング溝２３を周設し、このＯリング溝周設個所からさらに根元側の位置で周上等間隔に４箇所、周方向へ長めに形成するとともに平面形状を略台形状に形成した突起２８，…，２８を設け、把持部１１ａ側に形成されている雌型円筒状結合部２１ｂの係合部３９（図４参照）と係合できるようにする。また、突起２８が設けられた位置よりもさらに根元側に位置する個所には、横断面形状を頂点から反時計回り方向に曲面が僅かに緩やかに湾曲している略半球状に形成されたストッパー２９を突出させ、把持部１１ａが嵌着された場合に反時計回りに回動する周方向の動きを阻止する。
【００２１】
雌型円筒状結合部２２ａの形状は単純な薄肉円筒に形成する。
そして、この雌型円筒状結合部２２ａには、浄水カートリッジ１３の端部接続部１３ｂの先端部に形成されてＯリング２６が嵌着されている雄型円筒状結合部２２ｂ（図５参照）を挿入して接続することにより、頭部１１ｂと浄水カートリッジ１３とが結合部２２の軸回りに回動自在に結合されるとともに把持部１１ａの内部に浄水流路と原水流路とが形成される。
【００２２】
把持部１１ａのカートリッジ収容部１１ｃには、図２に示すように、収容部の内面に浄水カートリッジ１３を支持するための突出部３１，３１を周上等間隔に複数個（図中２つ）、中心軸側に向けて突設する。この突出部３１，３１は軸方向に全長にわたり突設するようにしても良く、また軸方向に途切れ途切れに突設するように形成しても良い。
【００２３】
把持部１１ａにおけるカートリッジ収容部１１ｃの開口側の端部には、図２（Ａ）および図４に示すように、内面側で突出部３１，３１が突設された位置の中央部に幅が広く深さの浅い奥行きの深い溝（あるいは凹部）３２，３２をそれぞれ刻設し、この各溝３２，３２に浄水カートリッジ１３の水質浄化材収容部を形成した筒部１３ａの下流側端部に突出した突起３３，３３（図５参照）をそれぞれ嵌め込むことにより係止する係合部３５，３５をそれぞれ形成する。
【００２４】
浄水カートリッジ１３の下流側端部は、図５に示すように、水質浄化材収容部の下流側端部に外周端より外方へ突出する突起３３を周上等間隔に２ヶ所突設し、この水質浄化材収容部の下流側端部からさらに下流側に、二段に縮径された端部接続部１３ｂが形成され、その小径側先端部に雄型円筒状結合部２２ｂを設ける。
雄型円筒状結合部２２ｂの外周面にはＯリング溝２４が周設され、このＯリング溝２４にＯリング２６を嵌着して漏れ止めできるようにする。
【００２５】
把持部１１ａの溝３２と浄水カートリッジ１３の突起３３とからなる係合部３５により浄水カートリッジ位置決め構造が構成され、この構成により、浄水カートリッジ１３がカートリッジ収容部１１ｃに収容された時に、各突起３３，３３がそれぞれの溝３２，３２に嵌め合い係合して、把持部１１ａと浄水カートリッジ１３とが相対的に周方向反対側へ動くことを規制する。
【００２６】
これにより浄水カートリッジ１３を収容した把持部１１ａを頭部１１ｂに結合するとき、雄型と雌型とに形成された結合部２１と結合部２２とが共に雌雄嵌合され、使用可能状態になる位置まで軸回りに回動されると、係合部３５の突起３３と溝３２とが係合しているため、把持部１１ａに収容された浄水カートリッジ１３が一体となって同じ方向へ回動して、水漏れなく結合される。
【００２７】
なお、係合部３５の突起３３は、浄水カートリッジ１３の筒部１３ａの下流側に位置する端面１３ｃを形成した位置の外周端より外方に突設すると、浄水カートリッジ１３の頭部側に位置する最大径の位置に設けることができて好都合である。
また、把持部１１ａと浄水カートリッジ１３との係合部３５に形成された突起３３と溝３２とを、それぞれ周上等間隔に各２ヶ所以上に形成すると、均等に周方向にかかる荷重を分散できて、係合部３５に生じる応力を小さくすることができ、破損に至るような大きな応力が生じにくくなるため、好都合である。
【００２８】
把持部１１ａの開口側端部には、雌型円筒状結合部２１ｂの内面側に係止溝３７と係止孔３８との組合せにより形成される係合部３９を周上等間隔に４箇所設ける。
係合部３９における係止溝３７の幅は、周上等間隔に８等分した円弧の長さ以下の長さにする。また係止孔３８は係止溝３７の時計回り方向の終端に接続し、頭部１１ｂ側の突起２８を係止溝３７を介して嵌め入れ、係止できるように形成する。
【００２９】
把持部１１ａの開口側端部に形成された各係止溝３７，…，３７に挟まれた４箇所の厚肉部のうち、頭部１１ｂ側のストッパー２９が設けられた箇所に対応した周方向の個所には、ストッパー係合用の溝４１が刻設され、隣り合う係止溝３７との境界に位置する厚肉部をストッパー２９の係止凸部４２として利用する。この係止凸部４２は、溝４１に向いた面を斜面に形成し、係止溝３７に向いた面を中心軸に向って略垂直な面に形成して、ストッパー２９が溝４１から係止溝３７に向かって移動するには容易に係止凸部４２を乗り越えて移動でき、反対に係止溝３７から溝４１に向っては係止凸部４２を乗り越えにくくして移動が難しくなるように形成する。
【００３０】
係合部３９における係止孔３８に突起２８を係止するには、突起２８を係止溝３７の最奥部に入れてから１／８回転以下の回転角で時計回り方向に回動することにより係止孔３８の端部に達し、さらに１／８回転以下の回転角で時計回り方向に回動することにより係止孔３８の中に突起２８が入り込むことにより係止するようになる。このとき、ストッパー２９は係止凸部４２を乗り越えて溝４１から係止溝３７に移動し、係止凸部４２の斜面でない方の面に当接して反対方向への回動を阻止する。
【００３１】
これにより、周上等間隔に４箇所以上形成された係合部３９が、１／４回転（９０度）以下、望ましくは１／８回転（４５度）以下の角度だけ回動することによって、容易かつ強固に突起２８と係合することができ、各係合部３９に生じる応力が小さくなり、係合部を破損しにくくする。
このため、頭部１１ｂと把持部１１ａとの結合部２１，２２は、嵌合時における把持部１１ａの回転角を１／４回転以下、望ましくは１／８回転以下に設定することにより、頭部１１ｂと把持部１１ａとの結合時に、浄水カートリッジ１３に不要な応力を生じさせることなく、頭部１１ｂと把持部１１ａとを結合することができ、浄水カートリッジ１３の破損を生じさせることなく結合することができるようになる。
【００３２】
〔組立〕
シャワーヘッド１１を組み立てるには、図６に示すように、把持部１１ａのカートリッジ収容部１１ｃに浄水カートリッジ１３をカートリッジ上流側端部から（矢印方向へ）挿入して収容し、把持部１１ａに刻設された各溝３２，３２にカートリッジ下流側端部に突出した各突起３３，３３を嵌め込み、各溝３２，３２に各突起３３，３３をしっかりと係合させて係合部３５を組み合わせる。
その後、頭部１１ｂの雄型円筒状結合部２１ａに把持部１１ａの雌型円筒状結合部２１ｂを外嵌するとともに、頭部１１ｂの雌型円筒状結合部２２ａに浄水カートリッジ１３の雄型円筒状結合部２２ｂを挿入して、頭部１１ｂと浄水カートリッジ１３を取り付けた把持部１１ａとを組み立てる。
【００３３】
この組立の際、図７および図８に示すように、頭部１１ｂを固定して頭部側から把持部側を見た場合、垂直位置に対して把持部１１ａを中心軸回りに約１／８回転分時計回りに回動した向きにして頭部１１ｂ側に設けられているストッパー２９の配置位置に溝４１が位置する（図８（Ａ）参照）ようにして嵌め込む。この時各突起２８，…，２８が各係止溝３７，…，３７の位置に（図８（Ｂ）参照）、また突起３３と溝３２とが組み合わされた係合部３５が垂直線より約１／８回転分時計回りにずれて位置している（図８（Ｃ）参照）。
【００３４】
結合部２１，２２が互いに最奥部まで嵌め込まれてから、図９および図１０に示すように、把持部１１ａを中心軸回りに約１／８回転分反時計回りに回動して、ストッパー２９の配置位置に係止溝３７が位置する（図１０（Ａ）参照）ように変位させる。この状態の時には、各突起２８，…，２８が各係止孔３８，…，３８の位置に（図１０（Ｂ）参照）、また突起３３と溝３２とが組合された係合部３５が垂直位置に配置するようになる（図１０（Ｃ）参照）。
【００３５】
〔作用効果〕
このように構成した実施の形態においては、頭部１１ｂに把持部１１ａを組み付けるときには、垂直位置に対して把持部１１ａが中心軸回りに約１／８回転分時計回りに回動した向きにして頭部１１ｂ側に嵌め込むことにより、ストッパー２９の配置位置に溝４１が位置し、各突起２８，…，２８が各係止溝３７，…，３７に位置し、さらに突起３３と溝３２との係合部３５が垂直線より約１／８回転分時計回りにずれた位置にし、さらに、頭部１１ｂに把持部１１ａを固定するには、嵌め込み後、把持部１１ａを中心軸回りに約１／８回転分反時計回りに回動して、ストッパー２９の配置位置に係止溝３７が位置するまで変位させ、各突起２８，…，２８が各係止孔３８，…，３８の位置に、また突起３３と溝３２との係合部３５が垂直位置に配置されるようにすることにより、頭部１１ｂに把持部１１ａを容易に組み付けることができ、各突起２８，…，２８が各係止孔３８，…，３８の位置に入ることにより軸方向に抜けることを防止することができ、ストッパー２９が係止凸部４２の側面に当接し、各突起２８，…，２８が各係止孔３８，…，３８のストッパー当接面と反対側に位置する側面に当接して、ストッパー当接方向と突起当接方向とが互いに反対方向に作用するようにして周方向の動きを止めて、各突起２８，…，２８が各係止孔３８，…，３８の位置から出ないようにすることができる。
【００３６】
これにより、頭部１１ｂと把持部１１ａとの結合部２１，２２は、嵌合時における把持部１１ａの回転角を１／４回転以下望ましくは１／８回転以下に設定することにより、頭部１１ｂと把持部１１ａとの結合時に回転角を小さく設定することができて、把持部１１ａによる浄水カートリッジ１３に対する押圧をなくし、不要な応力を生じさせることなく、頭部１１ｂと把持部１１ａとを結合することができる。また、周上等間隔に４箇所以上形成された係合部３９が、１／４回転以下望ましくは１／８回転以下の角度だけ回動することによって、容易かつ強固に突起２８と係合することができ、各係合部３９，…，３９に生じる応力が小さくなり、係合部の耐久性が向上する。
さらに、浄水カートリッジ１３を収容して頭部１１ｂと把持部１１ａとを結合する時には、把持部１１ａの溝３２と浄水カートリッジ１３の突起３３とが係合しているから、把持部１１ａを回転して取り付けるときに、把持部１１ａの中に入っている浄水カートリッジ１３の雄型円筒状結合部２２に嵌着されたＯリング２６の摩擦抵抗に抗して回転し、把持部１１ａの回転角と浄水カートリッジ３の回転角とが同一になり、原水流路１５におけるカートリッジ外周側の流路１５ａの偏りや浄水カートリッジ１３の変形が回避できるようになる。
【００３７】
【発明の効果】
以上のように、本発明における請求項１に係る浄水カートリッジ位置決め構造では、把持部のカートリッジ収容部の入口部と浄水カートリッジの下流側の外周端部との間に形成した嵌合部の突起と凹部とを嵌め合わせて、相対的な周方向の動きを規制し、原水流路の流路幅を均一に保ち、水浸入の周方向の偏りをなくし、把持部が浄水カートリッジを捩り方向に押圧することによるカートリッジケースの破損や水質浄化材の崩壊を防止することができる。
【００３８】
また、請求項２に係る浄水カートリッジ位置決め構造では、嵌合部が頭部と把持部との結合部の直近に形成することができ、頭部に対して把持部を軸回りに回動するときに嵌合部を同軸的に回動させることができて、把持部と浄水カートリッジとの全長にわたり同時に同じ方向へ回動でき、把持部と浄水カートリッジとの動きのずれによって生じる浄水カートリッジの変形を防止することができる。
【００３９】
また、請求項３に係る浄水カートリッジ位置決め構造では、突起が周上等間隔に複数個設けられることにより、均等に周方向にかかる荷重を分散できて、嵌合部に生じる応力を小さくすることができ、破損等の不具合が発生することを防止することができる。
【００４０】
また、請求項４に係る浄水カートリッジ位置決め構造では、浄水カートリッジの板厚が厚くなり剛性を高めるとともに嵌合部の突起と凹部との剛性を高めることができる。
【００４１】
また、請求項５に係る浄水カートリッジ位置決め構造では、把持部と浄水カートリッジとの間は第２の結合部における突起と凹部とからなる嵌合部によって一体的に組み合わされて同時に同方向へ回転できるようになり、第１の結合部における係止凸部とストッパーとからなる周方向移動抑止部によって、頭部に組み付けられた把持部の緩みを防止するとともに、把持部の頭部への組付時に把持部が浄水カートリッジを捩り方向に押圧することを抑止して、カートリッジケースの破損や水質浄化材の崩壊を防止することができる。
【００４２】
また、請求項６に係る浄水カートリッジ位置決め構造では、係止凸部を有する係合部の個数によって周上を等間隔に分割されて、各係止凸部にかかる負荷を小さくするとともに、把持部の回転角を１／４回転以下にして、頭部と把持部との相対的な回動角を小さくし、把持部と浄水カートリッジとの動きのずれをなくして、把持部が浄水カートリッジへの押圧を生じさせるような異常接近状態を防止することができる。
【図面の簡単な説明】
【図１】本発明の浄水カートリッジ位置決め構造を備えたシャワーヘッドを示す部分縦断面説明図である。
【図２】図１に示す断面位置の横断面であって、（Ａ）はＡ−Ａ断面図、（Ｂ）はＢ−Ｂ断面図、（Ｃ）はＣ−Ｃ断面図、（Ｄ）はＤ−Ｄ断面図、（Ｅ）はＥ−Ｅ断面図、（Ｆ）はＦ−Ｆ断面図である。
【図３】本発明の浄水カートリッジ位置決め構造を備えたシャワーヘッドの頭部を部分的に破断して示す一部破断斜視図であり、（Ａ）は左上側から見た斜視図、（Ｂ）は右上側から見た斜視図である。
【図４】本発明の浄水カートリッジ位置決め構造を備えたシャワーヘッドの把持部を示す斜視説明図であり、（Ａ）は把持部全体を示す斜視図、（Ｂ）はカートリッジ収容部の入口部を拡大して示す拡大斜視図である。
【図５】本発明の浄水カートリッジ位置決め構造における浄水カートリッジの下流側端部を示す部分斜視図である。
【図６】本発明の浄水カートリッジ位置決め構造を備えたシャワーヘッドの組立状況を示す斜視説明図である。
【図７】本発明の浄水カートリッジ位置決め構造を備えたシャワーヘッドの組立において把持部を斜めにして頭部に挿入した直後の状況を示す部分断面説明図である。
【図８】図７に示す頭部と把持部との結合部の断面位置における横断面であって、（Ａ）はＡ−Ａ断面図、（Ｂ）はＢ−Ｂ断面図、（Ｃ）はＣ−Ｃ断面図である。
【図９】本発明の浄水カートリッジ位置決め構造を備えたシャワーヘッドの組立において把持部を使用状態の位置まで回動した状況を示す縦断面図である。
【図１０】図９に示す頭部と把持部との結合部の断面位置における横断面であって、（Ａ）はＡ−Ａ断面図、（Ｂ）はＢ−Ｂ断面図、（Ｃ）はＣ−Ｃ断面図である。
【図１１】従来のシャワーヘッドを示す縦断面図である。
【図１２】図１１に示す断面位置の横断面であって、（Ａ）はＡ′−Ａ′断面図、（Ｂ）はＢ′−Ｂ′断面図、（Ｃ）はＣ′−Ｃ′断面図、（Ｄ）はＤ′−Ｄ′断面図、（Ｅ）はＥ′−Ｅ′断面図、（Ｆ）はＦ′−Ｆ′断面図である。
【符号の説明】
１１  シャワーヘッド
１１ａ  把持部
１１ｂ  頭部
１１ｃ  カートリッジ収容部
１２  水質浄化材
１３  浄水カートリッジ
１３ａ  筒部（水質浄化材収納部）
１３ｂ  （浄水カートリッジの下流側の）端部接続部
１３ｃ  端面
１５  原水流路
１５ａ  （カートリッジ外周側の）流路１５ａ
２１  （頭部把持部結合用）結合部
２１ａ，２２ｂ  雄型円筒状結合部
２１ｂ，２２ａ  雌型円筒状結合部
２２  （頭部浄水カートリッジ結合用）結合部
２３，２４  Ｏリング溝
２５，２６  Ｏリング
２７  端部
２８，３３  突起
２９  ストッパー
３１  突出部
３２，４１  溝
３５，３９  係合部
３７  係止溝
３８  係止孔
４２  係止凸部
【図１】
2005023583.tif 000003
【図２】
2005023583.tif 000004
【図３】
2005023583.tif 000005
【図４】
2005023583.tif 000006
【図５】
2005023583.tif 000007
【図６】
2005023583.tif 000008
【図７】
2005023583.tif 000009
【図８】
2005023583.tif 000010
【図９】
2005023583.tif 000011
【図１０】
2005023583.tif 000012
【図１１】
2005023583.tif 000013
【図１２】
2005023583.tif 000014